(57)【要約】      （修正有） 【課題】緊急・非常時における、ドアもしくは錠前を破壊することなく開錠する開錠治具を提供する。【解決手段】先端部にカップ型の柔軟性のあるゴムを取り付けたバネと、取手を取付け先端に長さ調整のステンレスジョイント管を取り付けた引き伸ばしワイヤーと、変形Ｓ字型のステンレステンション管とを備え、ステンレス管に前記ワイヤーを挿入し、バネをワイヤーの先端部に取り付け、ドアスコープ穴より挿入して錠前内部のつまみを操作して開錠する。【選択図】図５
0003168292.tif 000002
【実用新案登録請求の範囲】
【請求項１】
先端部にカップ型の柔軟性のあるゴムを取り付けたフレキバネ 
【請求項２】
取手を取付け、先端に長さ調整のステンレスジョイント管を取り付けた引き伸ばしワイヤー 
【請求項３】
変形Ｓ字型のステンレステンション管  
【請求項４】
上記請求項3に請求項2を挿入し、請求項1を請求項2の先端部に取り付け、ドアスコープ穴より挿入して錠前内部のつまみを操作して開錠する、非常時用ドア開錠治具
【考案の詳細な説明】
【技術分野】
【０００１】
本考案は、居住者が施錠状態で鍵を紛失もしくは閉じ込め等、非常時におけるドア開錠を、ドア及び錠前を破錠することなく行う開錠治具及びその操作方法に関するものである。 
【背景技術】
【０００２】
非常時におけるドア開錠は、従来専門のピッキング技術を持つ錠前士のピッキングもしくは、ドリル等により破壊作業が行われることが多かった。しかしながら錠前における防犯性の進歩により、専門の錠前士においても、ピッキングでの開錠が不可能な錠前が取り付けられる傾向にあり、その場合錠前を破壊して開錠し、新たな錠前を取り付けなければならなかった。これまでにもスコープ穴を利用した開錠治具は提案されているが、操作性が不十分であり、現行の防犯性の高い錠前には対応しきれていないのが実情である。
【０００３】
防犯性の高い錠前の必要性が求められる今日に至っては、錠前の内側つまみの大きさや形状が変化している。従来のスコープ穴を利用した開錠治具は、クランク型か、Ｌ型・コ字状ロッドの形状である。スコープ穴よりつまみまでの長さの調整など容易ではなく、つまみの回転方向の一部を的確にとらえることは難しい。つまみを確実にとらえて力を加えなければ開錠できなかった。  
【０００４】
近年のドアはスコープ穴から錠前内側のつまみまでの距離が130ｍｍ・250ｍｍ・300ｍｍなど多岐にわたり、従来の開錠治具では開錠治具本体が長すぎて、操作できないドアが多くなってきた。また距離が短くなった為、従来型はつまみ上部をとらえる前に通過してしまう。無理につまみに当てようとすると、スコープ穴の変形による補修が必要となる。現在においてはまったく使用できないドアもある。 
【考案の開示】
【考案が解決しようとする課題】
【０００５】
非常時開錠の多くは緊急を要することが多く、破壊開錠においては時間ならびに新規の錠前取り付けなど費用の負担がかかっていた。この開錠治具は近年のドアや錠前の形状の変化に対応し、ドアスコープ穴を利用し、錠前の内側に付いているつまみをより的確に操作し開錠することを目的とする。 
【課題を解決するための手段】
【０００６】
考案した治具は、ドアスコープを外す事により生じた穴より挿入し、錠前の内側についているつまみを開錠方向に動かすことで開錠する。 
【考案の効果】
【０００７】
この発明治具を専門の錠前士が利用すれば、非常時における開錠作業が、高価なドアもしくは錠前を破壊することなく行える。専門の錠前士に開錠依頼した場合、居住者にとっても錠前の交換が発生しないので料金が安価になる。開錠時間の短縮とドリル等による破壊作業における金属片の散布や騒音の問題も解消する。また、先端がゴムのためドアに傷をつける心配がない。
【考案を実施するための形態】
【０００８】
以下、本考案の操作方法について説明する。本考案治具は、ステンレス管をＳ字型にした変形Ｓ型テンション管  （図1）、取手を取付け、先端に長さ調整のステンレスジョイント管 を取り付けた引き伸ばしワイヤー（図2）、先端に柔軟性かつ微動性のあるカップ型ゴムを取り付けたフレキバネ  （図3）  で構成されている。Ｓ字型のステンレステンション管に、長さ調節のステンレスジョイント管を取り付けた引き伸ばしワイヤーを挿入し、取手を取り付け、先端部にカップ型の柔軟性のあるカップ型ゴムを取り付けたフレキバネを、ジョイント管に付けて使用する。（図4）
【０００９】
まずスコープ穴から錠前のつまみまでの距離を測っておく。テンション管（図1）のＡの長さを、先に測っておいたスコープ穴と錠前のつまみまでの距離と同じにしておく。長さが足りない時はジョイント管(図2）で調整する。
【００１０】
スコープを取り外して生じた穴に、フレキバネの先端より挿入する。テンション管（図1）のＢの長さの中心までスコープ穴より挿入し、フレキバネ先端についているカップ型ゴムを、錠前の内側つまみ部分にひっかけ、取手を引き上げると、先端についているカップ型ゴムが引っかけと引き上げることによるゴムの形状の変化及びたわみと、フレキバネによる曲がりとしなりの力で錠前の内側つまみが回転し開錠する。（図5）
【００１１】
カップ型ゴム（図6）は錠前の内側つまみ部分を引っかけと引き上げることによってゴムの形状が変化する。フレキバネが湾曲し、しなりの力を加えるとカップ型ゴムは楕円にのび、錠前の内側つまみに接する部分が多くなる。錠前の内側つまみ部分をしっかりとらえるため、取手を引き上げるとつまみも回転しドアが開錠状態となる。
【００１２】
テンション管の図1のＢの長さの中心までドアスコープ穴より挿入してこの治具を操作するが、テンション管はＳ字型をしているため、錠前内側のつまみを捕らえる際、取手を動かす稼動域と図1のＡの部分の稼動域が大きくなり、先端に付いているカップ型ゴムが、容易につまみを捕らえることができる。またテンション管はＳ字型をしているため、ドア内部についている用心くさりやドアガード等の障害物を越えてつまみを操作できる。
【００１３】
ステンレステンション管は、錠前内部のつまみを回転させる時に支柱となり、つまみを回転させる力の補助となる。
【図面の簡単な説明】
【００１４】
【図１】ステンレス管をＳ字型にした変形Ｓ字型テンション管
【図２】プラステックの取手を取付け、先端に長さ調整のステンレスジョイント管 を取り付けた引き伸ばしワイヤー
【図３】先端に柔軟性かつ微動性のあるカップ型ゴムを取り付けたフレキバネ
【図４】図1から図3までを組み合わせた開錠治具本体
【図５】図4をスコープ穴から挿入し、内側つまみを操作している図
【図６】図3のカップ型ゴムが、錠前内側のつまみをひっかけることによる形状の変化及びたわみと、フレキバネが曲がる図
【図７】図3のカップ型ゴムが、錠前内側のつまみをひっかける図
【図１】
0003168292.tif 000003
【図２】
0003168292.tif 000004
【図３】
0003168292.tif 000005
【図４】
0003168292.tif 000006
【図５】
0003168292.tif 000007
【図６】
0003168292.tif 000008
【図７】
0003168292.tif 000009
【手続補正書】
【提出日】平成23年2月24日(2011.2.24)
【手続補正１】
【補正対象書類名】実用新案登録請求の範囲
【補正対象項目名】全文
【補正方法】変更
【補正の内容】
【実用新案登録請求の範囲】
【請求項１】
先端部にカップ型の柔軟性のあるゴムを取り付けたバネと、 取手を取付け先端に長さ調整のステンレスジョイント管を取り付けた引き伸ばしワイヤーと、 変形Ｓ字型のステンレステンション管 とを備え、前記ステンレス管に前記ワイヤーを挿入し、前記バネを前記ワイヤーの先端部 に取り付け、ドアスコープ穴より挿入して錠前内部のつまみを操作して開錠する、非常時用ドア開錠治具。
【手続補正２】
【補正対象書類名】明細書
【補正対象項目名】０００８
【補正方法】変更
【補正の内容】
【０００８】以下、本考案の操作方法について説明する。本考案治具は、ステンレス管をＳ字型にした変形Ｓ型テンション管（図1）、取手を取付け、先端に長さ調整のステンレスジョイント管 を取り付けた引き伸ばしワイヤー（図2）、先端に柔軟性かつ微動性のあるカップ型ゴムを取り付けたバネ（図3）  で構成されている。Ｓ字型のステンレステンション管に、長さ調節のステンレスジョイント管を取り付けた引き伸ばしワイヤーを挿入し、取手を取り付け、先端部にカップ型の柔軟性のあるカップ型ゴムを取り付けたバネを、ジョイント管に付けて使用する。（図4）
【手続補正３】
【補正対象書類名】明細書
【補正対象項目名】００１０
【補正方法】変更
【補正の内容】
【００１０】  スコープを取り外して生じた穴にバネの先端より挿入する。テンション管（図1）のＢの長さの中心までスコープ穴より挿入し、バネ先端についているカップ型ゴムを、錠前の内側つまみ部分にひっかけ、取手を引き上げると、先端についているカップ型ゴムが引っかけと引き上げることによるゴムの形状の変化及びたわみと、バネによる曲がりとしなりの力で錠前の内側つまみが回転し開錠する。（図5）
【手続補正４】
【補正対象書類名】明細書
【補正対象項目名】００１１
【補正方法】変更
【補正の内容】
【００１１】カップ型ゴム（図6）は錠前の内側つまみ部分を引っかけと引き上げることによってゴムの形状が変化する。バネが湾曲し、しなりの力を加えるとカップ型ゴムは楕円にのび、錠前の内側つまみに接する部分が多くなる。錠前の内側つまみ部分をしっかりとらえるため、取手を引き上げるとつまみも回転しドアが開錠状態となる。
【手続補正５】
【補正対象書類名】明細書
【補正対象項目名】００１４
【補正方法】変更
【補正の内容】
【００１４】
【図１】ステンレス管をＳ字型にした変形Ｓ字型テンション管
【図２】プラステックの取手を取付け、先端に長さ調整のステンレスジョイント管 を取り付けた引き伸ばしワイヤー
【図３】先端に柔軟性かつ微動性のあるカップ型ゴムを取り付けたバネ
【図４】図1から図3までを組み合わせた開錠治具本体
【図５】図4をスコープ穴から挿入し、内側つまみを操作している図
【図６】図3のカップ型ゴムが、錠前内側のつまみをひっかけることによる形状の変化及びたわみと、バネが曲がる図
【図７】図3のカップ型ゴムが、錠前内側のつまみをひっかける図